(57)【特許請求の範囲】
【請求項１】
回路基板と、ドラムモータ、ローディングモータおよびキャプスタンモータと、前記回路基板に対して一定の間隔をあけて配置され、前記ドラムモータ、前記ローディングモータおよび前記キャプスタンモータを搭載しているシャーシとを有するテープ走行装置において、
前記キャプスタンモータはキャプスタン軸が軸受けを介して前記シャーシに取り付けられており、
前記キャプスタンモータのモータ基板は、金属製基板であり、前記シャーシおよび前記回路基板と接触しないようにして当該シャーシおよび当該回路基板の間に配置されるとともに、前記キャプスタンモータの前記キャプスタン軸の側に配置されており、
当該モータ基板には、前記キャプスタンモータの駆動回路、前記ドラムモータの駆動回路および前記ローディングモータの駆動回路が組み込まれた共通のモータドライブＩＣが搭載されており、
前記ドラムモータおよび前記ローディングモータと前記回路基板との間の電気的接続が、前記モータ基板を中継して形成されていることを特徴とするテープ走行装置。
【請求項２】
請求項１において、
前記モータ基板および前記回路基板の間を電気的に接続している基板間コネクタと、
前記モータ基板と前記ドラムモータおよび前記ローディングモータとの間を電気的に接続している中継用配線とを有していることを特徴とするテープ走行装置。
【請求項３】
請求項２において、
前記中継用配線は、前記回路基板に接続されている回路基板側部分と、この回路基板側部分から分岐して前記ドラムモータおよび前記ローディングモータのそれぞれに接続されている分岐部分とを備えた中継用ケーブルであることを特徴とするテープ走行装置。
【発明の詳細な説明】
【０００１】
【発明の属する技術分野】
本発明は、ビデオカセットテープなどの磁気テープを記録再生するために用いるテープ走行装置に関するものである。さらに詳しくは、シャーシに搭載されているドラムモータ、ローディングモータおよびキャプスタンモータのそれぞれと、回路基板との間を接続する配線方法の改良を図ったテープ走行装置に関するものである。
【０００２】
【従来の技術】
ビデオカセットレコーダ（ＶＣＲ）に組み込まれているテープ走行装置は、図４に示すように、磁気ヘッド（図示せず）を保持するシリンダドラム１０１を回転させるドラムモータ１０２と、磁気ヘッドに向けてビデオカセットテープを引き出すローディングモータ１０３と、ビデオカセットテープを一定速度で走行させるキャプスタンモータ１０４とを備えており、これらのモータ１０２，１０３，１０４は、共通のシャーシ１０５に搭載されていると共に、レコーダ本体側の回路基板１０６から駆動電力や駆動制御信号が供給されるようになっている。
【０００３】
一般的に、キャプスタンモータ１０４およびドラムモータ１０２を駆動するための各モータドライブＩＣ１０７、１０８は、それぞれのモータ基板１０９、１１０に搭載され、ローディングモータ１０３を駆動するためのモータドライブＩＣ１１１は回路基板１０６に搭載されている。
【０００４】
ここで、キャプスタンモータ１０４のモータ基板１０９は、回路基板１０６に対峙しているので、当該モータ基板１０９と回路基板１０６の間には一対の基板間コネクタ１１２を介して電気的な接続が取られている。これに対して、ドラムモータ１０２のモータ基板１１０は、回路基板１０６に対峙していないので、フルフラットケーブル１１３を経由して双方の間の電気的な接続が取られている。この場合、各基板１１０，１０６には、フルフラットケーブル接続用のコネクタ１１４，１１５がそれぞれ搭載される。また、モータドライブＩＣ１１１が回路基板１０６に搭載されているローディングモータ１０３の場合には、当該ローディングモータ１０３から引き出されたコネクタ付きリード線１１６を経由して、当該ローディングモータ１０３と回路基板１０６の間の電気的な接続が取られている。この場合には、回路基板１０６に、リード線接続用の受け側コネクタ１１７が搭載され、ここに、リード線１１６のコネクタ１１８が接続固定される。
【０００５】
しかしながら、このような一般的なテープ走行装置では、３つのモータと回路基板との間で電気的な接続を取るために、一対の基板間コネクタ１１２と、２個のフルフラットケーブル用コネクタ１１４，１１５と、１本のフルフラットケーブル１１３と、１本のコネクタ付きリード線１１６と、当該リード線１１６を接続するための１個の受け側コネクタ１１７とが必要になり、電気的接続のためのコストが高いという問題がある。また、個々のモータの使用電圧が異なる場合が多く、このような場合には電源コストも割高になると共に、電源周りにコンデンサ等の素子も増えてしまうという問題がある。
【０００６】
このような問題を解消して、テープ走行装置のコスト低減、小型化を図るために、近年においては、モータドライブＩＣとして、単一のモータドライブＩＣに、２つのモータの駆動回路が組み込まれた構成のものが提案されている。例えば、キャプスタンモータおよびローディングモータの各駆動回路が組み込まれたモータドライブＩＣや、ドラムモータおよびローディングモータの各駆動回路が組み込まれたモータドライブＩＣが提案されている。
【０００７】
【発明が解決しようとする課題】
ここで、このようなモータドライブＩＣを用いれば、各モータと回路基板との間の電気的な接続を取るために必要となる配線コストを低減でき、また、コネクタ数も低減できるので、テープ走行装置の小型化にとっても有利であると考えられる。
【０００８】
しかしながら、このようなモータドライブＩＣは放熱量が多いので、放熱対策が必要となってしまう。シリコングリスや放熱板を追加するなどの対策を施すと、その分、コスト高になってしまい、また、装置の小型化の障害となってしまうので好ましくない。
【０００９】
また、このようなモータドライブＩＣを回路基板に搭載すると、回路基板が大型化し、あるいは回路基板の小型化が困難になってしまうので、好ましくない。さらには、モータドライブＩＣでのスイッチング動作に起因するノイズ等が、回路基板上に搭載されている他の回路部分に重畳してしまい、画像信号や音声信号に悪影響を及ぼすおそれもある。
【００１０】
本発明の課題は、このような点に鑑みて、装置のコスト高を招くことなく、また、装置の小型化を阻害することなく、さらには、モータノイズによる悪影響を受けることなく、３つのモータと回路基板との間の電気的な接続を形成可能なテープ走行装置を提案することにある。
【００１１】
【課題を解決するための手段】
上記の課題を解決するため、本発明は、回路基板と、ドラムモータ、ローディングモータおよびキャプスタンモータと、前記回路基板に対して一定の間隔をあけて配置され、前記ドラムモータ、前記ローディングモータおよび前記キャプスタンモータを搭載しているシャーシとを有するテープ走行装置において、前記キャプスタンモータはキャプスタン軸が軸受けを介して前記シャーシに取り付けられており、前記キャプスタンモータのモータ基板は、金属製基板であり、前記シャーシおよび前記回路基板と接触しないようにして当該シャーシおよび当該回路基板の間に配置されるとともに、前記キャプスタンモータの前記キャプスタン軸の側に配置されており、当該モータ基板には、前記キャプスタンモータの駆動回路、前記ドラムモータの駆動回路および前記ローディングモータの駆動回路が組み込まれた共通のモータドライブＩＣが搭載されており、前記ドラムモータおよび前記ローディングモータと前記回路基板との間の電気的接続が、前記モータ基板を中継して形成されていることを特徴とする。
【００１２】
ここで、前記モータ基板および前記回路基板の間を電気的に接続している基板間コネクタと、前記モータ基板と前記ドラムモータおよび前記ローディングモータとの間を電気的に接続している中継用配線とにより、前記の電気的接続を形成することができる。
【００１３】
この場合、前記中継用配線は、前記回路基板に接続されている回路基板側部分と、この回路基板側部分から分岐して前記ドラムモータおよび前記ローディングモータのそれぞれに接続されている分岐部分とを備えた中継用ケーブルとすることができる。
【００１４】
本発明のテープ走行装置では、３つのモータの駆動回路が組み込まれたモータドライブＩＣを用いると共に、当該モータドライブＩＣを回路基板に対峙しているキャプスタンモータのモータ基板に搭載している。従って、一対の基板間コネクタと、１本の中継用配線を用いて、３つのモータと回路基板の間の電気的な接続を形成でき、従来に比べて、配線コストを低減でき、また、装置の小型化に有利である。
【００１５】
また、モータドライブＩＣがキャプスタンモータのモータ基板に搭載されているので、モータノイズが回路基板に搭載されている回路部分に侵入して画像信号や音声信号に悪影響を与えるという弊害も発生しない。
【００１６】
さらに、モータ基板を放熱性の良い金属製基板としてあるので、モータドライバＩＣの放熱対策として、シリコングリスを塗布したり、放熱板を追加する必要がない。
【００１７】
【発明の実施の形態】
以下に、図面を参照して、本発明を適用したテープ走行装置の一例を説明する。
【００１８】
図１は本例のテープ走行装置を示す断面図である。図２（ａ）、（ｂ）および（ｃ）は、図１のテープ走行装置のキャプスタンモータを示す裏面図、側面図および平面図である。
【００１９】
これらの図に示すように、本例のテープ走行装置１は、ビデオカセットレーコーダに組み込まれるものであり、磁気ヘッド（図示せず）を保持するシリンダドラム２１を回転させるドラムモータ２と、磁気ヘッドに向けてビデオカセットテープを引き出すローディングモータ３と、ビデオカセットテープを一定速度で走行させるキャプスタンモータ４と、これらのモータ２，３，４に電気的に接続されたビデオカセットレコーダ側の回路基板５とを有している。回路基板５からモータ２，３，４に対しては、駆動電流および駆動制御信号が供給されるようになっている。
【００２０】
モータ２，３，４は、回路基板５に対して一定の間隔をあけて平行に配置されたシャーシ６に搭載されている。本例では、シャーシ６における回路基板５に面している裏面６ａにキャプスタンモータ４が取り付けられ、シャーシ６における回路基板５とは反対側の表面６ｂにドラムモータ２およびローディングモータ３が取り付けられている。
【００２１】
シャーシ表面６ｂに取り付けられているドラムモータ２は、シリンダドラム２１と、この上に配置したドラム用モータ基板２２とを備えている。また、ローディングモータ３は、その回転軸３１がシャーシ表面６ｂと平行となるように配置されている。
【００２２】
これに対して、シャーシ裏面６ａに取り付けられているキャプスタンモータ４は、キャプスタン軸４１と、これを回転自在の状態でシャーシ６に支持している軸受け４２と、放熱性の良い金属素材からなるキャプスタン用モータ基板４４と、このモータ基板４４に搭載されているモータドライブＩＣ４３とを備えている。キャプスタン軸４１はシャーシ６を貫通してその表面側に直立している。モータ基板４４は、シャーシ６の裏面６ａに沿って僅かの間隔で平行に配置されていると共に、その部品搭載面４４ａが回路基板５に対峙している。本例のモータドライブＩＣ４３は、各モータ２，３，４それぞれの駆動回路が組み込まれた共通のモータドライブＩＣである。
【００２３】
ここで、本例においては、次のようにして、回路基板５と、各モータ２，３，４との間の電気的な接続が取られている。まず、モータドライブＩＣ４３が搭載されているキャプスタン用モータ基板４４と回路基板５の間は、モータ基板４４の側に取り付けたプラグ端子７１と回路基板５の表面に取り付けた端子受け７２からなる基板間コネクタ７によって、電気的に接続されている。
【００２４】
次に、シャーシ６の表面６ａに搭載されているドラムモータ２と回路基板５の間の電気的接続、およびローディングモータ３と回路基板５の間の電気的接続は、それぞれ、モータドライバＩＣが搭載されているキャプスタン用モータ基板４４を中継して形成されている。
【００２５】
すなわち、ドラムモータ２のモータ基板２２には、フルフラットケーブル用コネクタ２３が搭載され、ここに、フルフラットケーブル８の一端が接続されている。このフルフラットケーブル８の他端は、キャプスタン用モータ基板４４の部品搭載面４４ａに形成されている端子部４５に半田付けされている。また、ローディングモータ３からはリード線９が引き出されており、このリード線９の先端は、キャプスタン用モータ基板４４の部品搭載面４４ａに形成されている端子部４６に半田付けされている。
【００２６】
さらに、キャプスタン用モータ基板４４の部品搭載面４４ａには端子部４７が配置されており（図２参照）、この端子部４７は、モータ基板４４に形成された配線パターンを介して、端子部４５，４６に接続されていると共に、同じくモータ基板４４に形成された配線パターンを介して、モータドライブＩＣ４３に接続されている。この端子部４７には、上述した基板間コネクタ７のプラグ端子７１が半田付けされている。
【００２７】
このように構成した本例のテープ走行装置１において、キャプスタン用モータ基板４４と回路基板５の間を、基板間コネクタ７で接続し、フルフラットケーブル８およびリード線９を上記のように接続すると、モータ基板４４を中継して、回路基板５と各モータ２，３，４のそれぞれとの間の電気的接続が形成される。すなわち、回路基板５から基板間コネクタ７を介して、モータドライブＩＣ４３に至る経路が形成される。また、回路基板５から基板間コネクタ７およびフルフラットケーブル８を介して、ドラムモータ２に至る経路が形成され、回路基板５から基板間コネクタ７およびリード線９を介して、ローディングモータ３に至る経路が形成される。同時に、モータドライブＩＣ４３と各モータ２，３との間の電気的接続も形成される。
【００２８】
このように構成されたテープ走行装置１では、回路基板５とキャプスタン用モータ基板４４との間に形成されている一個の基板間コネクタ７と、１本のフルフラットケーブル８と、１個のフルフラットケーブル用コネクタ２３と、１本のリード線９のみによって、回路基板５と、各モータ２，３，４との間の電気接続が形成される。従って、これらの間の接続を、廉価で、しかも配線のためのスペースが少ない形態で形成することができる。
【００２９】
また、モータドライブＩＣ４３は、キャプスタン用モータ基板４４に搭載されているので、回路基板５に搭載されている回路部分とは独立させることができる。よって、モータノイズが回路基板５の側の回路部分に侵入して、画像信号や音声信号に悪影響を与えることを防止できる。
【００３０】
さらに、発熱源であるモータドライブＩＣ４３が搭載されているキャプスタン用モータ基板４４は、放熱性の良い金属素材から形成されており、しかも、シャーシ６に近接配置されている。従って、モータドライブＩＣ４３での発熱をモータ基板４４を介して、また、シャーシ６を介して、効率良く放出することができる。
【００３１】
（その他の実施の形態）
なお、上記のテープ走行装置１では、フルフラットケーブル８を介してドラムモータ２をモータ基板４４に接続し、リード線９を介してローディングモータ３をモータ基板４４に接続しているが、１本のフルフラットケーブルを用いて、モータ基板４４と２個のモータ２，３の間を接続することもできる。
【００３２】
例えば、図３に示すように、モータ基板４４Ａに一端が接続されているフルフラットケーブル１０を、その基板側接続部分１１の途中の位置から二股に分岐させ、一方の分岐部分１２の先端をドラムモータ２まで引き回してここに接続し、他方の分岐部分１３の先端をローディングモータ３まで引き回してここに接続するようにしてもよい。
【００３３】
このようにすれば、ドラムモータ２およびローディングモータ３と、キャプスタン用モータ基板４４Ａとの間を接続する中継ケーブルを１本とすることができる。
【００３４】
【発明の効果】
以上説明したように、本発明のテープ走行装置では、回路基板に対峙しているキャプスタンモータのモータ基板に、ドラムモータ、ローディングモータおよびキャプスタンモータを駆動制御する駆動回路が組み込まれているモータドライブＩＣを搭載し、回路基板とモータ基板の間を基板間コネクタで接続し、モータ基板を中継して、回路基板とドラムモータおよびローディングモータの間の電気的接続を形成するようにしている。
【００３５】
従って、本発明によれば、回路基板と３個のモータとの間の電気的接続を、廉価で、しかも設置スペースの少ない形態で構成することができる。よって、装置の低コスト化、小型化に有利である。
【００３６】
また、モータドライブＩＣと回路基板とは離れているので、モータノイズが回路基板側の回路部分に侵入して画像信号や音声信号に悪影響を与えるという弊害を防止あるいは抑制できる。
【００３７】
さらに、発熱源であるモータドライブＩＣが搭載されているキャプスタン用モータ基板を放熱性の良い金属素材から形成することにより、放熱板などを別途配置するなどの放熱対策を採用することなく、モータドライブＩＣの発熱を効果的に放出できる。
【図面の簡単な説明】
【図１】本発明を適用したテープ走行装置の主要部分を示す概略側面図である。
【図２】（ａ）、（ｂ）および（ｃ）は、図１に示すテープ走行装置のキャプスタン用モータを示す裏面図、側面図および断面図である。
【図３】図１に示すテープ走行装置の別の例を示す側面図である。
【図４】従来のテープ走行装置を示す部分側面図である。
【符号の説明】
１  テープ走行装置
２  ドラムモータ
３  ローディングモータ
４  キャプスタンモータ
５  回路基板
６  シャーシ
７  基板間コネクタ
８  フルフラットケーブル
９  リード線
４３  モータドライブＩＣ
４４  キャプスタン用モータ基板
４４ａ  部品搭載面
４５  端子部
４６  端子部
４７  端子部
７１  プラグ端子
７２  端子受け
【図１】
0004106200.tif 000002
【図２】
0004106200.tif 000003
【図３】
0004106200.tif 000004
【図４】
0004106200.tif 000005